(57)【特許請求の範囲】
【請求項１】
内容物を収容する容器本体と、容器本体の口部に装着されるベース部上に配した押し下げ可能なヘッドと、このヘッドに配した支点を起点に回動することにより、前記ヘッドの押圧面から起立する収納姿勢と、前記ヘッドに対して横向きに突出する注出姿勢との相互切り換えを可能とするノズルとを備え、
このノズルの注出姿勢で前記ヘッドを押圧して前記ノズルを通して前記容器本体内の内容物を排出する容器において、
前記容器は、前記ノズルの収納姿勢でもって当該ノズルの先端部を格納する一方、前記ノズルの注出姿勢で格納状態を解除するカバーを有し、
このカバーは、前記ベース部の側面に配した支点を起点にして回動する２つのカバーアームと、これら２つのカバーアームに保持され、当該２つのカバーアームの前記容器本体側からの回動により前記ノズルの注出姿勢で前記ノズルの先端部と接触し、更なる回動によって前記ノズルの収納姿勢で当該ノズルの先端部を収納するカバー本体とを備えることを特徴とする傾倒式のノズルを備えたカバー付き容器。
【請求項２】
前記カバー本体は、前記ノズルの先端部を取り囲むようにして格納するサック状であり、このカバー本体の内壁面のうちの、前記カバーアームの延在方向に対して直交し当該カバーアームをノズルの収納姿勢方向に回動させる方向に位置する側の面を、前記カバー本体の先端から前記ベース部の側面に配した前記支点に向かうに従って前記カバーアームからノズルの収納姿勢方向に回動させる方向に広がるように傾斜する傾斜角で構成された、前記ノズルの先端部を格納する際および前記ノズルの先端部の格納状態を解除する際の案内となる案内面とする請求項１に記載の、傾倒式のノズルを備えたカバー付き容器。
【請求項３】
前記カバー本体の内壁面のうちの、前記カバーアームの延在方向に沿って延在し当該カバーアームをノズルの注出姿勢方向に回動させる方向に位置する側の面を、前記ノズルの先端部を格納する際の案内となる受皿面とする請求項２に記載の、傾倒式のノズルを備えたカバー付き容器。
【発明の詳細な説明】
【０００１】
【発明の属する技術分野】
本発明は、内容物を収容する容器本体と、容器本体の口部に装着されるベース部上に配したヘッドと、このヘッドを起点に傾倒させ収納姿勢と注出姿勢の相互切り換えを可能とするノズルとを備え、ノズルの注出姿勢でヘッドを押圧して容器本体内の内容物をノズルを通して排出する容器、特に、少なくともノズルの先端部を格納するためのカバー付き容器に関するものである。
【０００２】
【従来の技術】
傾倒式のノズルを備えた従来の容器には、例えば、実開昭６２−７６９号公報に記載のものがある。これは、狭い隙間内に内容物を噴霧するための長尺ノズルを備えた容器において、長いノズルが邪魔にならないようにするため、ノズルをヘッドを起点に回動支持したものである。
【０００３】
【発明が解決しようとする課題】
しかしながら、上記容器にあっては、ノズルを傾倒させることによってノズルを収納姿勢または注出姿勢の相互切り換えを行う際、ノズルの先端部に使用者の指が不可避的に接触してしまうこともあり、特に、内容物が医療用薬剤であれば不衛生になるのが避けられない。
【０００４】
本発明は、上述した問題点を解消するためになされたものであって、ノズルと接触することなく、ノズルの収納姿勢と注出姿勢の相互切り換えが可能な傾倒式のノズルを備えたカバー付き容器を提供することを目的とする。
【０００５】
【課題を解決するための手段】
このため、本発明である、傾倒式のノズルを備えたカバー付き容器は、内容物を収容する容器本体と、容器本体の口部に装着されるベース部上に配した押し下げ可能なヘッドと、このヘッドに配した支点を起点に回動することにより、前記ヘッドの押圧面から起立する収納姿勢と、前記容器本体に対して横向きに突出する注出姿勢との相互切り換えを可能とするノズルとを備え、このノズルの注出姿勢で前記ヘッドを押圧して前記ノズルを通して前記容器本体内の内容物を排出する。
【０００６】
本発明によれば、上記容器は、前記ノズルの収納姿勢でもって当該ノズルの先端部を格納する一方、前記ノズルの注出姿勢で格納状態を解除するカバーを有し、このカバーは、前記ベース部の側面に配した支点を起点にして回動する２つのカバーアームと、これら２つのカバーアームに保持され、当該２つのカバーアームの前記容器本体側からの回動により前記ノズルの注出姿勢で前記ノズルの先端部と接触し、更なる回動によって前記ノズルの収納姿勢で当該ノズルの先端部を収納するカバー本体とを備える。
【０００７】
この場合、ノズルを収納姿勢でカバーに格納する場合や、ノズルを注出姿勢で格納状態を解除させる場合には、少なくともノズルの先端部に指などが接触しない。特に、内容物が医療用薬剤の場合、少なくともノズルの先端部は常に清潔な状態に保たれるために衛生的である。
【０００８】
【発明の実施の形態】
以下、本発明の実施の形態を、添付図面に基づき詳細に説明する。
【０００９】
図１および図２は、本発明に係る、傾倒式のノズルを備えたカバー付き容器の一実施形態を示す斜視図であって、図１はノズルの収納姿勢を、また、図２はノズルの注出姿勢をそれぞれ示したものである。また、図３は、本形態の作用を説明する側面図である。図４はノズルとヘッドの周辺部分をそれぞれ示す断面図である。
【００１０】
本実施形態である容器１０は、内容物を収容する容器本体１１と、容器本体１１の口部１２に装着されるベース部２０上に配したヘッド２１と、このヘッド２１に配した支点Ｏ1を起点に回動する長尺ノズル３０とを備える。長尺ノズル３０は、ヘッド２１を起点に傾倒させることにより、ノズル３０が容器１０に対して上向きに位置した収納姿勢と、容器１０に対して横向きに位置した注出姿勢の相互切り換えを可能にする。
【００１１】
また容器１０は、ヘッド２１のベース部２０に配した支点Ｏ2を起点にして回動するカバー４０を備える。カバー４０は、カバー本体４１を２つのアーム４２で保持され、このアーム４２の先端部４２ｅが支点Ｏ2で軸支されている。支点Ｏ2は、図３に示す如く、ノズル３０の支点Ｏ1よりもヘッド２１の押圧面２１ｆから遠い位置に配している。
【００１２】
ノズル３０とヘッド２１の周辺部分は、例えば、図４の断面図に示す構造を有する。ノズル３０が注出姿勢であると、図４の実線で示す如く、ノズル３０に形成された導入孔３１がヘッド２１に設けた排出口２２と連通する位置となり、容器本体１１内の内容物をノズル３０に導入する。また、ノズル３０が収納姿勢であると、図４の一点鎖線で示す如く、ノズル３０に形成された導入孔３１がヘッド２１に設けた排出口２２と連通しない位置となり、容器本体１１内の内容物をノズル３０に導入するのを阻止する。
【００１３】
図１に示す如く、ノズル３０が起立した収納姿勢である場合、使用者は、図２に示すように、ノズルカバー４０を傾倒させることによりノズル３０が横向きに突出した注出姿勢に切り換える。このとき、カバー４０は、図２に示す如く、ノズル３０を格納状態から解除する。なお、図３において、収納姿勢から注出姿勢までの動作状態は、収納姿勢を一点鎖線で、また、注出姿勢を二点鎖線で示す。
【００１４】
その後、使用者は、カバー４０を図３の実線に示す位置まで押し下げて、ノズル３０の注出姿勢でヘッド２１を押圧することにより、容器本体１１内の内容物がノズル３０を通して排出される。
【００１５】
また図３の実線に示す如く、ノズル３０が横向きに突出した注出姿勢である場合、使用者は、図３に示すように、実線に示す位置から二点鎖線に示す位置までカバー本体４１を持ち上げることにより、ノズル３０の注出姿勢でノズル先端部３０ｅがカバー４０の受皿面４１ｆ2に接触する。その後、さらにカバー本体４１を持ち上げることにより、カバー４０は、図１または図３の一点鎖線に示すように、ノズル３０の収納姿勢でもってノズル先端部３０ｅを格納する。
【００１６】
カバー４０は、ノズル先端部３０ｅを格納または格納状態を解除させるために、案内面４０ｆ1および受皿面４０ｆ2を有する。案内面４０ｆ1は、所定の傾斜角θを有するため、ノズル先端部３０ｅを格納する際およびノズル先端部３０ｅの格納状態を解除する際の案内となり、また、受皿面４０ｆ2は、その表面積が広めに構成されているため、ノズル先端部３０ｅを格納する際の案内となる。
【００１７】
カバー４０は、本実施形態の如く、その先端部が閉鎖されたサック状のものが好ましい。この場合、ノズル先端部３０ｅが外部と接触しないため、さらに衛生的である。
【００１８】
本実施形態によれば、容器１０は、ヘッド２１のベース部２０を起点にして回動し、ノズル３０の収納姿勢でもって少なくともノズルの先端部３０ｅを格納する一方、注出姿勢で格納状態を解除するカバー４０を有する。
【００１９】
この場合、ノズル３０を収納姿勢でカバー４０に格納する場合や、ノズル３０を注出姿勢で格納状態を解除させる場合には、少なくともノズル先端部３０ｅに指などが接触しない。特に、内容物が医療用薬剤の場合、少なくともノズル先端部３０ｅは常に清潔な状態に保たれるために衛生的である。
【００２０】
上述したところは、本発明の好適な実施形態を示したに過ぎず、当業者によれば、請求の範囲において、様々な変更を加えることができ、例えば、容器１０は、ポンプ式に加えて、エアゾール式であってもよい。また、内容物は、医療用薬剤のみならず、例えば、整髪料、染毛剤、化粧水などでもよい。
【図面の簡単な説明】
【図１】本発明による傾倒式のノズルを備えたカバー付き容器の一実施形態であって、ノズルの収納姿勢を示す斜視図である。
【図２】同実施形態において、ノズルの注出姿勢を示す斜視図である。
【図３】同実施形態の作用を説明する側面図である。
【図４】同実施形態の一部断面図である。
【符号の説明】
１０  容器
１１  容器本体
１２  容器口部
２０  ベース部
２１  ヘッド
２１ｆ  ヘッド押圧面
３０  ノズル
３０ｅ  ノズル先端部
４０  カバー
４１  カバー本体
４１ｆ1  カバー案内面
４１ｆ2  カバー受皿面
４２  カバーアーム
４２ｅ  カバーアーム先端部
【図１】
0004104816.tif 000002
【図２】
0004104816.tif 000003
【図３】
0004104816.tif 000004
【図４】
0004104816.tif 000005